(57)【要約】【課題】補助フィルムシートに反り返りや折れ曲がりが発生した場合であっても切換パネルが浮き上がってしまうことを抑制することができる操作装置を提供する。【解決手段】複数の操作スイッチ１８の一部が露出する孔部を備え且つ操作パネル１７の表面を覆う補助フィルムシート４と、隣接配置された複数の操作スイッチ１８の一部が露出する孔部１９ａを備え且つ一縁を回動支点として操作パネル１７に回動可能に設けられた切換パネル１９と、操作スイッチ１８の一部が孔部１９ａから露出した状態となるように切換パネル１９が一方側に回動しているときに押圧操作され且つ切換パネル１９が他方側に回動しているときとに開放操作されて操作スイッチ１８のスイッチ機能を切り換える切換プッシュスイッチ２０と、切換パネル１９の回動支点となる一縁と対向する他縁に設けられたウエイト部１９ｄと、を備えている。【選択図】      図４
2010011250.tif 000002
【特許請求の範囲】
【請求項１】
複数の操作スイッチを隣接配置した本体と、該複数の操作スイッチの一部が露出する孔部を備え且つ前記本体の表面を覆う補助フィルムシートと、前記複数の操作スイッチの一部が露出する孔部を備え且つ一縁を回動支点として前記本体に回動可能に保持された切換パネルと、前記本体に設けられて前記操作スイッチの一部が前記孔部から露出した状態となるように前記切換パネルが前記補助フィルムシートの表面側を覆うように一方側に回動しているときに押圧操作され且つ前記切換パネルが他方側に回動しているときとに開放操作されることにより前記操作スイッチのスイッチ機能を切り換える切換プッシュスイッチと、を備えた操作装置において、
前記切換パネルの回動支点となる一縁と対向する他縁にウエイト部が設けられていることを特徴とする操作装置。
【請求項２】
前記ウエイト部が前記他縁に沿って厚肉とされていることを特徴とする請求項１に記載の操作装置。
【請求項３】
前記本体の表面には、前記ウエイト部が位置する収納溝が形成されていることを特徴とする請求項２に記載の操作装置。
【発明の詳細な説明】
【技術分野】
【０００１】
本発明は、複数の操作スイッチを隣接配置すると共に、この操作スイッチの機能を切り換える切換パネルを備えた操作装置に関する。
【背景技術】
【０００２】
従来から、テレビやビデオデッキ等のリモートコントロール装置や、ファクシミリ等の画像形成装置の操作部といった操作装置には、複数の釦スイッチ等の操作スイッチが配置され、所望する機能等に応じた操作スイッチを押圧操作することによって、その機能を実行している。
【０００３】
この際、近年の各種機器にあっては、多機能化が進む一方、装置全体の小型化により、釦スイッチの配置が非常に困難となっている。
【０００４】
そこで、複数の操作スイッチを隣接配置した本体に、複数の操作スイッチの一部が露出する孔部を備え且つ一縁部側に設けられたヒンジ部を本体に設けられた係合孔部に係合することで回動可能とされた切換パネルを設け、この切換パネルが一方側に位置しているときと他方側に位置しているときとで同一の操作スイッチに二つの機能を具備させることが知られている（例えば、特許文献１参照）。
【０００５】
図６，図７は、このような操作装置の一例を示し、１は画像形成装置（例えば、ファクシミリ）の操作部等の本体、２は本体１の表面から突出するように図６の図示縦横に複数隣接配置された操作スイッチ、３は複数の操作スイッチ２を図示左右の中央でグループ的に分割するように正転状態（図６（Ａ）参照）と反転状態（図６（Ｂ）参照）とに回動切換可能となるように本体１に回動可能に保持された切換パネル、４は操作スイッチ２の図示左右中央でグループ的に分割された各操作スイッチ２に係合する補助フィルムシート、５は本体１の表面から先端が突出する切換プッシュスイッチである。
【０００６】
切換パネル３は、図８に示すように、樹脂等の比較的薄肉なプレート状に形成され、各操作スイッチ２の一部（先端）が露出する孔部３ａと、本体１の支持孔１ａと係合して一縁を回動支点（回動軸）とする支持軸３ｂと、正反転操作用の操作舌片３ｃとが一体に形成されている。
【０００７】
補助フィルムシート４は、樹脂等の比較的薄肉なフィルム状で基本的に同一のものが用いられ、図９に示すように、各操作スイッチ２の一部（先端）が露出する孔部４ａが形成されている。尚、補助フィルムシート４は、例えば、操作スイッチ２をファクシミリ機能時における相手先ファクシミリ番号の短縮登録呼出用スイッチとして使用した場合等に、その相手先名を記入する際等に使用される。
【０００８】
切換プッシュスイッチ５は、例えば、図６（Ａ）及び図７に示すように、操作スイッチ２の一部が孔部３ａから露出した状態となるように切換パネル３が補助フィルムシート４の表面側を覆うように一方側に回動しているときに押圧操作（例えば、ＯＮ）され、図６（Ｂ）に示すように、切換パネル３が他方側に回動しているときとに開放操作（例えば、ＯＦＦ）される。
【０００９】
これにより、切換パネル３がある時と切換パネルが無い時とで同じ位置に配置された操作スイッチ２でありながら、そのスイッチ機能が切り換えられる。
【００１０】
従って、上述した補助フィルムシート４は、その表面が切換パネル３で覆われていない時に、短縮登録相手先等を選択するための認識シートとして使用することができる。
【特許文献１】特開平０８−３２０６３６号公報
【発明の開示】
【発明が解決しようとする課題】
【００１１】
ところが、上記の如く構成された操作装置にあっては、本体１の表面に補助フィルムシート４を設けた場合、その材質がＰＥＴ等の樹脂フィルムであるため、例えば、短縮登録相手先名記入等に伴う本体１の表面からの着脱操作や周囲環境（温湿度）等によって、図７（Ｂ）に示すように、反り返りや折れ曲がりが発生すると共に、この反り返りや折れ曲がりに伴って切換パネル３が浮き上がってしまい、切換プッシュスイッチ５の機能切り換えが行われないといった不具合が発生していた。
【００１２】
そこで、本発明は、上記事情を考慮し、補助フィルムシートに反り返りや折れ曲がりが発生した場合であっても切換パネルが浮き上がってしまうことを抑制することができる操作装置を提供することを目的とする。
【課題を解決するための手段】
【００１３】
本発明の操作装置は、複数の操作スイッチを隣接配置した本体と、該複数の操作スイッチの一部が露出する孔部を備え且つ前記本体の表面を覆う補助フィルムシートと、前記複数の操作スイッチの一部が露出する孔部を備え且つ一縁を回動支点として前記本体に回動可能に保持された切換パネルと、前記本体に設けられて前記操作スイッチの一部が前記孔部から露出した状態となるように前記切換パネルが前記補助フィルムシートの表面側を覆うように一方側に回動しているときに押圧操作され且つ前記切換パネルが他方側に回動しているときとに開放操作されることにより前記操作スイッチのスイッチ機能を切り換える切換プッシュスイッチと、を備えた操作装置において、前記切換パネルの回動支点となる一縁と対向する他縁にウエイト部が設けられていることを特徴とする。
【００１４】
この際、前記ウエイト部が前記他縁に沿って厚肉とするのが好ましい。
【００１５】
また、前記本体の表面には、前記ウエイト部が位置する収納溝を形成しても良い。
【発明の効果】
【００１６】
本発明の操作装置は、補助フィルムシートに反り返りや折れ曲がりが発生した場合であっても切換パネルが浮き上がってしまうことを抑制することができる。
【発明を実施するための最良の形態】
【００１７】
次に、本発明の一実施形態に係る操作装置を画像形成装置としての複合機に適用し、図面を参照して説明する。
【００１８】
図１は本発明の一実施形態に係る操作装置を適用した画像形成装置の斜視図、図２（Ａ）は本発明の一実施形態に係る操作装置における切換パネル正転時の要部の正面図、図２（Ｂ）は切換パネル反転時の要部の正面図、図３は本発明の一実施形態に係る操作装置に適用される切換パネルの斜視図、図４は本発明の一実施形態に係る操作装置を示し、（Ａ）は切換パネル正転時の要部の断面図、（Ｂ）は切換パネル反転時の要部の断面図である。
【００１９】
図１において、画像形成装置（例えば、複合機）１１は、装置本体１２の正面から引き出し可能な給紙カセット１３，１４，１５と、複写機・ファクシミリ・スキャナの各種機能として原稿を読み取る際に使用する自動原稿送り装置（ＡＤＦ）１６と、装置本体１２の正面側に設置された操作装置としての操作パネル１７と、を備えている。
【００２０】
操作パネル１７には、複数の操作スイッチ１８が隣接配置されている。この際、各操作スイッチ１８の操作性を確保するために各操作スイッチ１８の大きさを維持しようとすると、画像形成装置の多機能化の実現が困難となる。
【００２１】
そこで、操作パネル１７には、例えば、ファクシミリ機能の短縮登録先や複合機のモード機能といった多数の機能に対応して、一つの操作スイッチ１８で複数の機能を切り換えにより実行可能とするため、図２（Ａ）及び図２（Ｂ）に示すように、縦横に多数配置された操作スイッチ１８を左右で分割し、その分割された一方側（図２（Ａ）参照）と他方側（図２（Ｂ）参照）とで配置された操作スイッチ１８とグループ的に係合するように操作パネル１７の表面を覆う補助フィルムシート４と、その分割された一方側（正転状態）と他方側（反転状態）との２形態で切り換え可能な切換パネル１９と、操作パネル１７の表面から接点部分が突出する切換プッシュスイッチ２０と、が設けられている。尚、補助フィルムシート４は従来技術で説明した補助フィルムシート４と同一であるため、ここではその説明を省略する。
【００２２】
切換パネル１９は、図３及び図４に示すように、樹脂等の比較的薄肉なプレート状に形成され、各操作スイッチ１８の一部（先端）が露出する孔部１９ａと、操作パネル１７に形成された支持孔１７ａと係合して一縁を回動支点（回動軸）とする支持軸１９ｂと、正反転操作用の操作舌片１９ｃと、支持軸１９ｂによって回動支点となる一縁と対向する他縁に沿うウエイト部１９ｄと、が一体に形成されている。
【００２３】
このウエイト部１９ｄは、支持軸１９ｂによって回動支点となる一縁と対向する他縁に形成されると共に、支持軸１９ｂと対向する縁部に沿って一面方向に均一に突出することで他の部分よりも厚肉な部分とされ、その厚肉分だけ切換パネル１９の重量バランスが支持軸１９ｂと対向する縁部側が重くなっている。
【００２４】
これにより、切換パネル１９の正転時（図２（Ａ）及び図４（Ａ）参照）の場合、ウエイト部１９ｄの突出端は下方に向きとなり、切換パネル１９の反転時（図２（Ｂ）及び図４（Ｂ）参照）の場合、ウエイト部１９ｄの突出端は上方に向く。
【００２５】
この際、ウエイト部１９ｄの突出量は、図４（Ａ）に示すように、切換パネル１９の正転時に操作パネル１７の上面に当接しないように設定され、切換パネル１９の水平状態を維持すると同時に、その下面側に配置された補助フィルムシート４の浮き上がり等を抑制（矯正）する。
【００２６】
尚、このウエイト部１９ｄの突出方向は、例えば、図２（Ａ）及び図４（Ａ）に示す切換パネル１９の正転時に上向きとし、図２（Ｂ）及び図４（Ｂ）に示す切換パネル１９の反転時に下向きとしても良い。
【００２７】
また、ウエイト部１９ｄは、切換パネル１９の他縁に沿って所定幅を厚肉とする一体成形品とするのが好ましいが、例えば、図５（Ａ）に示すように、操作スイッチ１８から他縁に至る幅を幅広としても良い。
【００２８】
また、補助フィルムシート４の材質や強度等によって想定されるウエイト部１９ｄの重量確保に際して、その幅の確保が困難な場合には、例えば、図５（Ｂ）に示すように、ウエイト部１９ｄの突出量（肉厚）を確保すると共に、操作パネル１７にウエイト部１９ｄの一部が位置するような収納溝１７ｂを形成することも可能である。
【００２９】
さらに、ウエイト部１９ｄは、切換パネル１９の他縁に沿って所定幅を厚肉とする一体成形品としたのでは重量を充分に確保することができずに浮きが発生するような場合には、例えば、図５（Ｃ）に示すように、金属等の比重の高い材質の別体を用いても良いし、図５（Ｄ）に示すように、操作スイッチ１８の表裏に突出する玉縁状としても良い。
【００３０】
ところで、上記実施の形態では、本発明の操作装置を画像形成装置（複合機）１の操作パネル１７に適用したが、切換パネルの正反転によってスイッチ機能を切り替える操作装置全般に適用することができることは勿論である。
【図面の簡単な説明】
【００３１】
【図１】本発明の一実施形態に係る操作装置を適用した画像形成装置の斜視図である。
【図２】本発明の一実施形態に係る操作装置を示し、（Ａ）は切換パネル正転時の要部の正面図、（Ｂ）は切換パネル反転時の要部の正面図である。
【図３】本発明の一実施形態に係る操作装置に適用される切換パネルの斜視図である。
【図４】本発明の一実施形態に係る操作装置を示し、（Ａ）は切換パネル正転時の要部の断面図、（Ｂ）は切換パネル反転時の要部の断面図である。
【図５】本発明の一実施形態に係る操作装置の変形例を示し、（Ａ）は変形例１の要部の拡大断面図、（Ｂ）は変形例２の要部の拡大断面図、（Ｃ）は変形例３の要部の拡大断面図、（Ｄ）は変形例４の要部の拡大断面図である。
【図６】従来の操作装置を示し、（Ａ）は切換パネル正転時の要部の正面図、（Ｂ）は切換パネル反転時の要部の正面図である。
【図７】従来の操作装置の変形例を示し、（Ａ）は要部の拡大断面図、（Ｂ）は浮き上がり発生状態の要部の拡大断面図である。
【図８】従来の操作装置に適用される切換パネルの斜視図である。
【図９】補助フィルムシートの斜視図である。
【符号の説明】
【００３２】
４…補助フィルムシート
１１…画像形成装置
１７…操作パネル（操作装置／本体）
１７ａ…係合孔部
１８…操作スイッチ
１９…切換パネル
１９ａ…孔部
１９ｂ…支持軸（ヒンジ部）
１９ｃ…操作舌片
１９ｄ…ウエイト部
２０…切換プッシュスイッチ
【図１】
2010011250.tif 000003
【図２】
2010011250.tif 000004
【図３】
2010011250.tif 000005
【図４】
2010011250.tif 000006
【図５】
2010011250.tif 000007
【図６】
2010011250.tif 000008
【図７】
2010011250.tif 000009
【図８】
2010011250.tif 000010
【図９】
2010011250.tif 000011